(57)【特許請求の範囲】
【請求項１】
シリンダ錠の内筒を、少なくとも１個のタンブラーを有する外端内筒ユニットと、この外端内筒ユニットに隣接し、少なくとも１個のタンブラーを有する第二内筒ユニットを含む複数の内筒ユニットに分割し、外端内筒ユニットの内端面外周部に、内筒を解錠方向に回動したとき幅広部が先行する略三角形の切欠を形成し、この切欠部に転子の一端を収納して一方向クラッチを構成すると共に、第二内筒ユニットの外端面外周部の上記切欠部とほぼ整合する角度位置に、転子の他端を円周方向において挟持する一対の端縁を有する凹陥部を形成したことを特徴とするシリンダ錠。
【発明の詳細な説明】
【０００１】
【発明の属する技術分野】
この発明は、ピンタンブラー錠、ディスクタンブラー錠及びレバータンブラー錠（ロータリーディスクタンブラー錠）を含むシリンダー錠に係り、特にピッキングによる不正解錠を不可能にした新規なシリンダ錠に関する。
【０００２】
【従来の技術】
従来のシリンダ錠は、例えばディスクタンブラー錠を例に採ると、図５及び図６に示すように、外筒１と内筒２とを備え、内筒２にその軸線に沿って列設された複数のタンブラー３、３のそれぞれを、鍵孔４に挿入された鍵の対応する鍵溝底により半径方向に移動させ、その両端を外筒１と内筒２との摺接面（シアーライン）に揃えて、内筒２を回動可能にするものである。
【０００３】
後にするこの発明の説明を容易にする為、その一般的な構成を図５を参照して更に説明すると、例えば、内筒２の外端（図５で左端）にはそれよりも大径のキーガイド５を装着すると共に、内筒２の内端を小径に絞ってストッパー板６に開口した図示しない孔に嵌合させ、Ｅ−リング等の止め輪７を嵌着する。
【０００４】
尚、図５及び図６において、符号８は外筒１の内面に形成された係止溝を、符号９は図示しない錠箱の錠止機構と内筒２とを連結するテールピースをそれぞれ示す。
【０００５】
【発明が解決しようとする課題】
しかして、シリンダ錠は、所謂ピッキングによる不正解錠が困難ではないことが一部の専門家の間では知られている。
【０００６】
このピッキングは、細い工具を鍵孔４（図６参照）から内筒２中に差込み、各タンブラー３を動かしながら内筒２を僅かに解錠方向に回して、タンブラー３の先端隅部を係止溝８とシアーラインの交線である肩部１０に乗せることによって行われる如くである。
【０００７】
この発明は、上記したピッキングによる不正解錠を不可能にする新規なシリンダ錠を提供することを目的としている。
【０００８】
【課題を解決するための手段】
上記の目的を達成するため、この発明は、シリンダ錠の内筒を、少なくとも１個のタンブラーを有する外端内筒ユニットと、この外端内筒ユニットに隣接し、少なくとも１個のタンブラーを有する第二内筒ユニットを含む複数の内筒ユニットに分割し、外端内筒ユニットの内端面外周部に、内筒を解錠方向に回動したとき幅広部が先行する略三角形の切欠を形成し、この切欠部に転子の一端を収納して一方向クラッチを構成すると共に、第二内筒ユニットの外端面外周部の上記切欠部とほぼ整合する角度位置に、転子の他端を円周方向において挟持する一対の端縁を有する凹陥部を形成したことを特徴とする。
【０００９】
【発明の実施の形態】
以下、この発明の一実施例につき、図面を参照して説明する。尚、図１乃至図３に示す実施例は、この発明を図５及び図６に示す所謂ディスクタンブラー錠に適用したものである。
【００１０】
図１及び図２において符号１１は外端内筒ユニットを、符号１２は第二内筒ユニットをそれぞれ示し、これら外端及び第二内筒ユニット１１、１２は、図５に示すディスクタンブラー錠の内筒２を、その中心軸線に垂直な分割面１３により分割してなり、それぞれ少なくとも１個のタンブラー３を有している。
【００１１】
上記外端内筒ユニットの内端面、即ち、図１における右端面の外周部には、転子を噛み込む形式の一方向クラッチが設けられている。
【００１２】
即ち、図示のように、内筒の一方（図２で右方）の側面の一部が、内筒の長さ方向の一定寸法円筒の儘残されて肉厚部が形成されており、この肉厚部に、図２に示すように、内筒の中心軸線に垂直な平面への投影形状が略三角形の切欠１４が形成されている。
【００１３】
この切欠１４の内筒の中心軸線に垂直な平面への投影形状は、外端及び第二内筒ユニット１１、１２が解錠方向に回動したとき、その投影形状の幅広部が先行するように設定されている。尚、図示のシリンダ錠は、解錠時内筒を図２において時計方向に回動させるものとする。
【００１４】
図示の実施例では、上記切欠１４の投影形状は、内筒の半径の先端部と、弦の半分及び円弧の一部よりなるように設定されているが、この切欠１４の形状は、内筒、少なくとも外端内筒ユニット、が解錠方向に回動するとき、幅広部が先行するように設定されていれば良く、必ずしも図示の形状に限定されるものではない。
【００１５】
上記切欠１４内には、例えば短円柱状のローラ等の転子１５の一端部（図１において左端部）が収納されている。
【００１６】
一方、第二内筒ユニット１２の外端面（図１において左端面）の外周部の、上記切欠１４とほぼ整合する角度位置には、図１に示すように、切欠１４と対峙するようにして、凹陥部１６が形成されている（図３参照）。
【００１７】
この凹陥部１６は、上記切欠１４と同様に、第二内筒ユニット１２の外端付近の一方の側面に形成された肉厚部を、内筒の中心軸線に垂直な平面への投影形状が例えば扇面状になるように切り欠いて形成されている。
【００１８】
上記のように構成された凹陥部１６内には、図１及び図３に示すように、上記転子１５の他端部（図１で右端部）が収納され、その結果転子１５の他端部は凹陥部１６を形成する端縁により円周方向において挟持され、第二内筒ユニット１２の回動時、これと一体的に移動する。
【００１９】
上記のように構成されたこの発明によるシリンダ錠は、図示しない合鍵を鍵孔４に差し込んで通常の施解錠操作の場合には、外端内筒ユニット１１及び第二内筒ユニット１２はこの合鍵により相互に一体的に連結されているから、合鍵の施解錠操作により通常に作動する。
【００２０】
尚、ここで合鍵とは、所謂スペアーキーのことをいうのではなく、当該錠前を解錠すべくシャンクに正規の鍵溝を刻設した鍵をいうものとする。
【００２１】
さて、ピッキングによりこのシリンダ錠を不正解錠すべく、ピッキングの手法に従い、外端内筒ユニット１１の最外端のタンブラーを細い工具により操作し、外端内筒ユニット１１を解錠方向に回したとする。
【００２２】
すると、外端内筒ユニット１１のみが回動力を受け、第二内筒ユニット１２はその角度位置に留まる結果、一方向クラッチが転子１５を噛み込んで外端内筒ユニット１１と外筒１とを一体的に結合する。
【００２３】
換言すれば、凹陥部１６に他端を挟持された転子１５の一端（図２参照）が、切欠１４の垂直な端縁と外筒の内周面との間に挟み込まれ、外筒１と外端内筒ユニット１１との相対回動が阻止される。
【００２４】
したがって、外端内筒ユニット１１を少し廻してその最外端のタンブラーの先端を前記外筒内周面の肩部１０（図６参照）に乗せるというピッキングの最初の工程が不可能であり、勿論外側から２番目以降のタンブラーを肩部１０に乗せることができないので、結局この発明によるシリンダ錠をピッキングによって不正解錠することはできない。
【００２５】
一方、合鍵による通常の施解錠操作時には、合鍵によって外端及び第二内筒ユニット１１、１２が合鍵を介して一体に結合され、転子１５と外端内筒ユニットの切欠１４との間に相対移動が生じないので、上記切欠１４による転子の噛み込みが生じないのは前記したとおりである。
【００２６】
尚、本発明を実施するにあたっては図示の実施例に限定されることなく、種々に変形して実施することができる。
【００２７】
例えば、一方向クラッチの転子を図示の実施例ではローラとしたが、これはボールでも良いことは勿論である。この場合、切欠１４及び凹陥部１６の深さ（内筒軸線方向の寸法）をそれぞれボールの半径より若干大きくなるように設定すれば、一方向クラッチが作動するまでの遊びが少なくなる。
【００２８】
また、通常のシリンダ錠は、例えば図４に示すレバータンブラー錠のように、内筒を棒状の素材から切出して構成せず、複数の仕切板１７を筒状のリテーナー１８により結合して鍵孔４の長さ方向に積層し、各仕切板１７と隣接する他の仕切板１７との間のスリットに、外形略Ｃ字形のレバータンブラーの一端を回動自在に支承して内筒２を構成することがある。
【００２９】
このような場合には、外端内筒ユニット１１の内端の仕切板、及び第二内筒ユニットの外端の仕切板の板厚を大きくして、これらにそれぞれ切欠及び凹陥部を形成すればよい（図示せず）。
【００３０】
ちなみに、レバータンブラー錠は、合鍵の鍵溝によりタンブラー３を動かして、その自由外端縁に形成された解錠切欠１９を、内筒２の母線に沿って延在するロッキングバー２１の内端縁に整合させ、内筒の回動時、外筒１の内周面の母線に沿って形成された断面Ｖ字形の溝に係合するロッキングバー２１を楔作用により内筒の半径方向に変位させて、内筒を回動可能にするものであり、この発明はこのレバータンブラー錠にも適用可能である。
【００３１】
この場合、ロッキングバー２１は、各内筒ユニット間において分断してもよいし、全体として一体のものとしてもよい。
【００３２】
後者の場合には、ロッキングバー２１は全内筒ユニットに係合するので、ピッキング時、ロッキングバー２１の内端部が他の内筒ユニットに押えられていて動かないので、ピッキングが益々困難になる。
【００３３】
また、この発明を所謂ピンシリンダー錠に適用できることは言うまでもない。
【００３４】
尚、図１乃至図３において、図５及び図６と等符号を付した部分は、相互に均等な部分を示す。
【００３５】
【発明の効果】
以上の説明から明らかなように、この発明は、シリンダ錠の内筒を外端内筒ユニットと、これに隣接する第二内筒ユニットとを含む複数の内筒ユニットに分割し、外端内筒ユニットに解錠方向への回動時これを外筒に連結する一方向クラッチを組込んだので、外端内筒ユニットのピッキング時、そのピッキングに必要な外端内筒ユニットの回動を一方向クラッチの作動による外端内筒ユニットと外筒との連結により阻止し、ピッキングによる不正解錠を完全に防止することができる。
【００３６】
一方、上記一方向クラッチを構成する転子を第二内筒ユニットの外端に形成した凹陥部に係合させるようにしたので、合鍵による正規の施解錠操作時には外端内筒ユニット及び第二内筒ユニットは合鍵を介して一体的に回動して一方向クラッチは作動せず、したがって、通常の施解錠操作には何等支障は生じない。
【図面の簡単な説明】
【図１】この発明の一実施例によるシリンダ錠の線図的縦断側面図。
【図２】図１のＩＩ−ＩＩ線による線図的横断面図。
【図３】図１のＩＩＩ−ＩＩＩ線による線図的横断面図。
【図４】従来のレバータンブラー錠の一例を示す横断正面図。
【図５】従来のディスクタンブラー錠の一例を示す線図的縦断側面図。
【図６】その線図的横断面図。
【符号の説明】
１  外筒
２  内筒
３  タンブラー
４  鍵孔
５  キーガイド
６  ストッパー板
７  止め輪
８  係止溝
９  テールピース
１０  肩部
１１  外端内筒ユニット
１２  第二内筒ユニット
１３  分割面
１４  切欠
１５  転子
１６  凹陥部
【図１】
0003664455.tif 000002
【図２】
0003664455.tif 000003
【図３】
0003664455.tif 000004
【図４】
0003664455.tif 000005
【図５】
0003664455.tif 000006
【図６】
0003664455.tif 000007